(57)【要約】【目的】  机自身のコストをアップさせることなく、多くのコンピュータ等の配線をすっきりと収納することができるようにする。【構成】  ２つの机ＤＥの間に吊り下げて設置される吊り下げ式配線ダクトであり、コンピュータ等の配線が収納される長尺状のダクト本体１００Ａと、ダクト本体１００Ａを２つの机ＤＥの間に吊り下げる吊下部材２００Ａとを備えており、吊下部材２００Ａは、略Ｔ字形状のＴ字状部２１０Ａと、Ｔ字状部２１０Ａから延設された環状の本体保持部２２０Ａとが一体に形成され、Ｔ字状部２１０Ａは、設置される机ＤＥの天板ＤＴの厚さ寸法より大きな高さ寸法を有し、本体保持部２２０Ａには、ダクト本体１００Ａが取り付けられる。【選択図】      図１
2005110766.tif 000002
【特許請求の範囲】
【請求項１】
２つの机の間に吊り下げて設置される吊り下げ式配線ダクトにおいて、コンピュータ等の配線が収納される長尺状のダクト本体と、このダクト本体を２つの机の間に吊り下げる吊下部材とを具備しており、前記吊下部材は、略Ｔ字形状のＴ字状部と、このＴ字状部から延設された環状の本体保持部とが一体に形成されており、前記Ｔ字状部は、設置される机の天板の厚さ寸法より大きな高さ寸法を有しており、前記本体保持部は、ダクト本体が取り付けられることを特徴とする吊り下げ式配線ダクト。
【請求項２】
２つの机の間に吊り下げて設置される吊り下げ式配線ダクトにおいて、コンピュータ等の配線が収納される長尺状のダクト本体と、このダクト本体と一体に連設された吊下部材とを具備しており、前記吊下部材は、略Ｔ字形状のＴ字状部と、このＴ字状部と前記ダクト本体とを連結する連結部とが一体に形成されており、前記Ｔ字状部は、設置される机の天板の厚さ寸法より大きな高さ寸法に設定されていることを特徴とする吊り下げ式配線ダクト。
【請求項３】
前記ダクト本体は、略樋状であることを特徴とする請求項１又は２記載の吊り下げ式配線ダクト。
【請求項４】
前記ダクト本体は、配線を押し込み可能な切れ目を有する略筒状に形成されていることを特徴とする請求項１又は２記載の吊り下げ式配線ダクト。
【請求項５】
前記ダクト本体の幅寸法は、２つの机を向かい合わせにして突き合わせたとき、２つの机の間に形成される空間より幅狭に設定されていることを特徴とする請求項１、２、３、４又は５記載の吊り下げ式配線ダクト。
【請求項６】
前記Ｔ字状部には、配線の収納時に２つの机の間の間隔を大きくする補助部材が着脱可能になっていることを特徴とする請求項１、２、３、４又は５記載の吊り下げ式配線ダクト。
【請求項７】
前記ダクト本体は、網状又はシート状の柔軟な面状部材を支柱で略樋状に支えた形状であることを特徴とする請求項１、２、５又は６記載の吊り下げ式配線ダクト。
【発明の詳細な説明】
【技術分野】
【０００１】
本発明は、２つの机の間に吊り下げて設置される吊り下げ式配線ダクトに関する。
【背景技術】
【０００２】
オフィス等において、机を向かい合わせにして島状に配置した場合、その机では、コンピュータの背面側が向かい合うことになる。コンピュータの配線は、一般的にコンピュータの背面側に設けられているので、背面側が向かい合ったコンピュータの間、すなわち向かい合った机と机との間には多くの配線が煩雑に存在することになる。かかる配線の存在は、コンピュータの移動や機種変更の際の手間の１つになっている。また、外観を損なう、清掃がしにくいなどの不具合があり、特に清掃時に配線を引っかけるなどして誤って接続が抜けると、大切なデータを消失する事故が発生する懸念がある。
【０００３】
そこで、机自体に開閉蓋が取り付けられた配線収納部を設けておき、この配線収納部に配線を収納する机が創案されている（特許文献１参照）。
【０００４】
【特許文献１】特開平０８−３１７８２０号公報
【発明の開示】
【発明が解決しようとする課題】
【０００５】
しかしながら、机の縁部に開閉蓋付きの配線収納部を設けると、机自体の価格が通常のものより大幅にアップするという問題がある。また、コンピュータの性能が向上し、周辺機器が増加するに従って、配線が増加するが、机自体に設けられた前記開閉蓋付きの配線収納部では、収納量が不足することになる。
【０００６】
本発明は、上記事情に鑑みて創案されたもので、机自身のコストをアップさせることなく、多くのコンピュータ等の配線をすっきりと収納することができる吊り下げ式配線ダクトを提供することを目的としている。
【課題を解決するための手段】
【０００７】
本発明に係る吊り下げ式配線ダクトは、２つの机の間に吊り下げて設置される吊り下げ式配線ダクトであって、コンピュータ等の配線が収納される長尺状のダクト本体と、このダクト本体を２つの机の間に吊り下げる吊下部材とを備えており、前記吊下部材は、略Ｔ字形状のＴ字状部と、このＴ字状部から延設された環状の本体保持部とが一体に形成されており、前記Ｔ字状部は、設置される机の天板の厚さ寸法より大きな高さ寸法を有しており、前記本体保持部は、ダクト本体が取り付けられる構成になっている。
【発明の効果】
【０００８】
本発明に係る吊り下げ式配線ダクトは、２つの机の間に吊り下げて設置される吊り下げ式配線ダクトであって、コンピュータ等の配線が収納される長尺状のダクト本体と、このダクト本体を２つの机の間に吊り下げる吊下部材とを具備しており、前記吊下部材は、略Ｔ字形状のＴ字状部と、このＴ字状部から延設された環状の本体保持部とが一体に形成されており、前記Ｔ字状部は、設置される机の天板の厚さ寸法より大きな高さ寸法を有しており、前記本体保持部は、ダクト本体が取り付けられるように構成されている。
【０００９】
かかる吊り下げ式配線ダクトであると、机は従来のものを流用しつつ、コンピュータ等の多くの配線を収納することができる。特に、ダクト本体の上面が開放されていても、その上面は机の天板によってほぼ閉塞されるので、内部に塵芥等が浸入することがない。
【００１０】
また、本発明に係る他の吊り下げ式配線ダクトは、２つの机の間に吊り下げて設置される吊り下げ式配線ダクトであって、コンピュータ等の配線が収納される長尺状のダクト本体と、このダクト本体と一体に連設された吊下部材とを備えており、前記吊下部材は、略Ｔ字形状のＴ字状部と、このＴ字状部と前記ダクト本体とを連結する連結部とが一体に形成されており、前記Ｔ字状部は、設置される机の天板の厚さ寸法より大きな高さ寸法に設定されている。
【００１１】
従って、かかる吊り下げ式配線ダクトであると、ダクト本体と吊下部材とが一体に形成されているので、机に取り付ける際の手間が少なくてすむというメリットがある。
【００１２】
また、前記ダクト本体が、略樋状であるとすると、ダクト本体の内部に配線を簡単に収納することができる。
【００１３】
また、前記ダクト本体が、配線を押し込み可能な切れ目を有する略筒状に形成されていると、ダクト本体の内部に配線を簡単に収納することができるとともに、よりダクト本体の内部に塵芥等が浸入しにくくなる。
【００１４】
前記ダクト本体の幅寸法は、２つの机を向かい合わせにして突き合わせたとき、２つの机の間に形成される空間より幅狭に設定されていると、２つの机を向かい合わせにした場合でも、２つの机の間の隙間を配線の太さほどに小さくすることができるというメリットがある。
【００１５】
また、ダクト本体が、網状又はシート状の柔軟な面状部材を支柱で略樋状に支えた形状であると、机の裏側面に突起物があり、取付状態でその突起物がダクト本体を変形させるような場合でも対応することが可能である。
【発明を実施するための最良の形態】
【００１６】
図１は本発明の第１の実施の形態に係る吊り下げ式配線ダクトの概略的斜視図、図２は本発明の第１の実施の形態に係る吊り下げ式配線ダクトを構成するダクト本体の概略的斜視図、図３は本発明の第１の実施の形態に係る吊り下げ式配線ダクトを構成する吊下部材の図面であって、同図（Ａ）は概略的側面図、同図（Ｂ）は概略的正面図、図４は本発明の第１の実施の形態に係る吊り下げ式配線ダクトの使用状態を示す概略的側面図、図５は本発明の第１の実施の形態に係る吊り下げ式配線ダクトの使用状態を示す概略的平面図である。
【００１７】
また、図６は本発明の第２の実施の形態に係る吊り下げ式配線ダクトの概略的斜視図、図７は本発明の第２の実施の形態に係る吊り下げ式配線ダクトを構成するダクト本体の概略的斜視図、図８は本発明の第２の実施の形態に係る吊り下げ式配線ダクトを構成する吊下部材の図面であって、同図（Ａ）は概略的側面図、同図（Ｂ）は概略的正面図、図９は本発明の第３の実施の形態に係る吊り下げ式配線ダクトの概略的斜視図、図１０は本発明の第４の実施の形態に係る吊り下げ式配線ダクトの概略的斜視図、図１１は本発明の第５の実施の形態に係る吊り下げ式配線ダクトの要部の概略的斜視図、図１２は本発明の第６の実施の形態に係る吊り下げ式配線ダクトの要部の概略的斜視図である。
【００１８】
本発明の第１の実施の形態に係る吊り下げ式配線ダクトＡは、２つの机ＤＥの間に吊り下げて設置される吊り下げ式配線ダクトであって、コンピュータＣｏｍ等の配線Ｌが収納される長尺状のダクト本体１００Ａと、このダクト本体１００Ａを２つの机ＤＥの間に吊り下げる吊下部材２００Ａとを備えており、前記吊下部材２００Ａは、略Ｔ字形状のＴ字状部２１０Ａと、このＴ字状部２１０Ａから延設された環状の本体保持部２２０Ａとが一体に形成されており、前記Ｔ字状部２１０Ａは、設置される机ＤＥの天板ＤＴの厚さ寸法より大きな高さ寸法を有しており、前記本体保持部２２０Ａは、ダクト本体１００Ａが取り付けられるようになっている。
【００１９】
まず、この吊り下げ式配線ダクトＡが取り付けられる一般的な机ＤＥは、事務用に用いられているものであって、天板ＤＴと、引出し部（図示省略）と、脚部（図示省略）とから構成されている。天板ＤＴは、正面側及び左右側面側においては突出していないが、背面側においては、他の部分より突出している。従って、２つの机ＤＥを向かい合わせにして突き合わせると、２つの机ＤＥの間には、図４に示すように、空間Ｋが形成される。なお、この空間Ｋの幅寸法は、天板ＤＴが背面側において突出する寸法の２倍となる。
【００２０】
前記ダクト本体１００Ａは、合成樹脂等で成形されており、上面が開放された側面視略凹字形状の略樋状に形成されている。その深さ寸法は、複数本の配線Ｌを収納可能な深さに設定されている。また、その幅寸法は、前記空間Ｋの幅寸法より幅狭に設定されている。
【００２１】
また、前記吊下部材２００Ａは、合成樹脂や金属からなり、略Ｔ字形状のＴ字状部２１０Ａと、このＴ字状部２１０Ａから延設された環状の本体保持部２２０Ａとが一体に形成されている。前記本体保持部２２０Ａは、ダクト本体１００Ａを保持する部分であって、矩形環状に形成されている。この本体保持部２２０Ａは、内側に前記ダクト本体１００Ａが挿入可能なようになっている。従って、この本体保持部２２０Ａには、ダクト本体１００Ａが挿入されることで取り付けられることになる。
【００２２】
一方、前記Ｔ字状部２１０Ａは、本体保持部２２０Ａの上面２２１Ａから立設された縦リブ部２１１Ａと、この縦リブ部２１１Ａの上端において左右両側に延設された一対の横リブ部２１２Ａとから構成されている。前記縦リブ部２１１Ａの寸法、すなわちＴ字状部２１０Ａの高さ寸法は、前記机ＤＥの天板ＤＴの厚さ寸法より大きく設定されている。従って、Ｔ字状部２１０Ａの横リブ部２１２Ａを２つの天板ＤＴの上に跨がった状態で位置させると、前記本体保持部２２０Ａの上面２２１Ａは、天板ＤＴの裏面と所定の間隔をあけた状態で天板ＤＴの裏面側に位置することになる。
【００２３】
このような部材から構成された吊り下げ式配線ダクトＡは、次のようにして使用される。
まず、ダクト本体１００Ａを吊下部材２００Ａの本体保持部２２０Ａに挿入する。なお、１つのダクト本体１００Ａに対して、２つ以上の吊下部材２００Ａを使用するが、その個数は机ＤＥの大きさ等や収納すべき配線Ｌの量に応じて適宜変更することはいうまでもない。
【００２４】
この状態で、向かい合わせに突き合わせた２つの机ＤＥの天板ＤＴの間にＴ字状部２１０Ａの縦リブ部２１１Ａを挟み込み、Ｔ字状部２１０Ａの横リブ部２１２Ａを天板ＤＴの表面に位置させる。すると、天板ＤＴの裏面と吊下部材２００Ａの本体保持部２２０Ａの上面２２１Ａとの間には隙間ができる。また、ダクト本体１００Ａは、図４に示すように、２つの机ＤＥを向かい合わせに突き合わせた場合に２つの机ＤＥの間に形成される空間Ｋの間に位置する。
【００２５】
なお、横リブ部２１２Ａの幅は、本体保持部２２０Ａの幅より少し長くなっており、天板ＤＴの隙間を吊下部材２００Ａが入る、すなわち吊下部材２００Ａより少し広い幅に開け、Ｔ字状部２１０Ａを天板ＤＴの上側から設置しても横リブ部２１２Ａが天板ＤＴ上に載り落下しない。
【００２６】
机ＤＥの上に載置されたコンピュータＣｏｍ等の配線Ｌは、図４及び図５に示すように、２つの机ＤＥの向かい合わせの天板ＤＴの間の隙間からダクト本体１００Ａの内部に落とし込まれてダクト本体１００Ａの内部に収納される。また、延長コード等のコンセントに接続したアダプター等（図示省略）もダクト本体１００Ａの内部に収納することができる。配線Ｌ等をダクト本体１００Ａの内部に落とし込んだ後は、配線Ｌに過度の負担がかからない程度に机ＤＥの隙間を小さくする。
【００２７】
次に、本発明の第２の実施の形態に係る吊り下げ式配線ダクトＢについて図６〜図８を参照しつつ説明する。
【００２８】
この吊り下げ式配線ダクトＢは、上述した吊り下げ式配線ダクトＡとは吊下部材２００Ｂの形状等が大きく異なる。
【００２９】
まず、前記ダクト本体１００Ｂは、合成樹脂等で成形されており、図７に示すように、上面が開放された側面視略凹字形状の略樋状に形成されている。その深さ寸法は、複数本の配線Ｌを収納可能な深さに設定されている。また、その幅寸法は、前記空間Ｋの幅寸法より幅狭に設定されている。
【００３０】
かかるダクト本体１００Ｂの対向する一対の側面１１０Ｂには、等間隔でスリット１１１Ｂが開設されている。このスリット１１１Ｂは後述する吊下部材２００Ｂの係止爪２２２Ｂに対応するものである。
【００３１】
また、前記吊下部材２００Ｂは、合成樹脂や金属からなり、図８に示すように、略Ｔ字形状のＴ字状部２１０Ｂと、このＴ字状部２１０Ｂから延設された略下向き凹字形状の本体保持部２２０Ｂとが一体に形成されている。前記本体保持部２２０Ｂは、ダクト本体１００Ｂを保持する部分であって、その先端には内側向きの係止爪２２２Ｂが折曲形成されている。この係止爪２２２Ｂは、ダクト本体１００Ｂのスリット１１１Ｂに挿入可能なようになっている。従って、この本体保持部２２０Ｂは、ダクト本体１００Ｂが抱え込まれるようにして取り付けられることになる。
【００３２】
一方、前記Ｔ字状部２１０Ｂは、本体保持部２２０Ｂの上面２２１Ｂから立設された縦リブ部２１１Ｂと、この縦リブ部２１１Ｂの上端において左右両側に延設された一対の横リブ部２１２Ｂとから構成されている。前記縦リブ部２１１Ｂの寸法、すなわちＴ字状部２１０Ｂの高さ寸法は、前記机ＤＥの天板ＤＴの厚さ寸法より大きく設定されている。従って、Ｔ字状部２１０Ｂの横リブ部２１２Ｂを２つの天板ＤＴの上に跨がった状態で位置させると、前記本体保持部２２０Ｂの上面２２１Ｂは、天板ＤＴの裏面と所定の間隔をあけた状態で天板ＤＴの裏面側に位置することになる。
【００３３】
このような部材から構成された吊り下げ式配線ダクトＢは、次のようにして使用される。
まず、ダクト本体１００Ｂのスリット１１１Ｂに吊下部材２００Ｂの係止爪２２２Ｂを係止させる。なお、１つのダクト本体１００Ｂに対して、２つ以上の吊下部材２００Ｂを使用するが、その個数は机ＤＥの大きさ等や収納すべき配線Ｌの量に応じて適宜変更することはいうまでもない。
【００３４】
この状態で、向かい合わせに突き合わせた２つの机ＤＥの天板ＤＴの間にＴ字状部２１０Ｂの縦リブ部２１１Ｂを挟み込み、Ｔ字状部２１０Ｂの横リブ部２１２Ｂを天板ＤＴの表面に位置させる。すると、天板ＤＴの裏面と吊下部材２００Ｂの本体保持部２２０Ｂの上面２２１Ｂとの間には隙間ができる。また、ダクト本体１００Ｂは、図４に示すように、２つの机ＤＥを向かい合わせに突き合わせた場合に２つの机ＤＥの間に形成される空間Ｋの間に位置する。
【００３５】
机ＤＥの上に載置されたコンピュータＣｏｍ等の配線Ｌは、図５に示すように、２つの机ＤＥの向かい合わせの天板ＤＴの間の隙間からダクト本体１００Ｂの内部に落とし込まれてダクト本体１００Ｂの内部に収納される。また、延長コード等のコンセントに接続したアダプター等（図示省略）もダクト本体１００Ｂの内部に収納することができる。
【００３６】
かかる吊り下げ式配線ダクトＢであると、ダクト本体１００Ｂが長い場合であっても、その長さに関係なく簡単に吊下部材２００Ｂをダクト本体１００Ｂに取り付けられるというメリットがある。
【００３７】
次に、本発明の第３の実施の形態に係る吊り下げ式配線ダクトＣについて図９を参照しつつ説明する。
【００３８】
この吊り下げ式配線ダクトＣは、上述した吊り下げ式配線ダクトＡ、Ｂでは、ダクト本体１００Ａ、１００Ｂと吊下部材２００Ａ、２００Ｂとが別体であったのに対し、ダクト本体１００Ｃと吊下部材２００Ｃとが一体であることが相違する。
【００３９】
かかる吊り下げ式配線ダクトＣは、２つの机ＤＥの間に吊り下げて設置される吊り下げ式配線ダクトであって、コンピュータ等の配線Ｌが収納される長尺状のダクト本体１００Ｃと、このダクト本体１００Ｃと一体に連設された吊下部材２００Ｃとを備えており、前記吊下部材２００Ｃは、略Ｔ字形状のＴ字状部２１０Ｃと、このＴ字状部２１０Ｃと前記ダクト本体１００Ｃとを連結する連結部２２１Ｃとが一体に形成されており、前記Ｔ字状部２１０Ｃは、設置される机ＤＥの天板ＤＴの厚さ寸法より大きな高さ寸法に設定されている。
【００４０】
すなわち、かかる吊り下げ式配線ダクトＣにおける吊下部材２００Ｃは、ダクト本体１００Ｃと分離できないように一体に形成されている。この吊下部材２００Ｃは、ダクト本体１００Ｃの一対の対向する側面１１０Ｃの上端部において、ダクト本体１００Ｃを跨ぐように設けられた連結部２２１Ｃと、この連結部２２１Ｃに立設されたＴ字状部２１０Ｃとを有している。
【００４１】
前記Ｔ字状部２１０Ｃの高さ寸法、すなわちＴ字状部２１０Ｃを構成する縦リブ部２１１Ｃの寸法は、前記机ＤＥの天板ＤＴの厚さ寸法より大きく設定されている。従って、Ｔ字状部２１０Ｃの横リブ部２１２Ｃを２つの天板ＤＴの上に跨がった状態で位置させると、前記吊下部材２００Ｃの連結部２２１Ｃは、天板ＤＴの裏面と所定の間隔をあけた状態で天板ＤＴの裏面側に位置することになる。
【００４２】
このような部材から構成された吊り下げ式配線ダクトＣは、次のようにして使用される。
向かい合わせに突き合わせた２つの机ＤＥの天板ＤＴの間にＴ字状部２１０Ｃの縦リブ部２１１Ｃを挟み込み、Ｔ字状部２１０Ｃの横リブ部２１２Ｃを天板ＤＴの表面に位置させる。すると、天板ＤＴの裏面と吊下部材２００Ｃの本体連結部２２１Ｃとの間には隙間ができる。また、ダクト本体１００Ｃは、図４及び図５に示すように、２つの机ＤＥを向かい合わせに突き合わせた場合に２つの机ＤＥの間に形成される空間Ｋの間に位置する。
【００４３】
机ＤＥの上に載置されたコンピュータＣｏｍ等の配線Ｌは、図４に示すように、２つの机ＤＥの向かい合わせの天板ＤＴの間の隙間からダクト本体１００Ｃの内部に落とし込まれてダクト本体１００Ｃの内部に収納される。また、延長コード等のコンセントに接続したアダプター等（図示省略）もダクト本体１００Ｃの内部に収納することができる。
【００４４】
なお、上述した第１〜第３の実施の形態に係る吊り下げ式配線ダクトＡ〜Ｃでは、各ダクト本体１００Ａ〜１００Ｃは、略樋状、すなわち上面が開放された側面視略凹字形状に形成されていたが、図１０に示す第４の実施の形態に係る吊り下げ式配線ダクトＤのように、上面１４０Ｄに配線Ｌを押し込み可能な切れ目１３０Ｄを有する略筒状に形成されているものであってもよい。ただし、この場合には、前記切れ目１３０Ｄの幅寸法は、収納されるべき配線Ｌが挿入可能な程度に設定されていることはいうまでもない。
【００４５】
なお、図１０は、本発明の第１の実施の形態に係る吊り下げ式配線ダクトＡの場合の変形例である吊り下げ式配線ダクトＤを示しているが、吊り下げ式配線ダクトＢ、Ｃの場合も同様である。
【００４６】
次に図１１を参照しつつ、本発明の第５の実施の形態に係る吊り下げ式配線ダクトＥについて説明する。
この吊り下げ式配線ダクトＥは、配線Ｌの図示しないダクト本体への収納時と、収納後とでは、２つの机ＤＥの間隔が、前者の時に大きく、後者の時により小さければ、都合がよいことに着目したものであり、この吊り下げ式配線ダクトＥのＴ字状部２１０Ｅには、配線の収納時に２つの机ＤＥの間の間隔を大きくする補助部材２３０Ｅが着脱可能になっている。
【００４７】
なお、かかる吊り下げ式配線ダクトＥにおけるダクト本体は、上述したダクト本体１００Ａと同等のものである。
【００４８】
かかる吊り下げ式配線ダクトＥに用いられる吊下部材２００ＥのＴ字状部２１０Ｅの縦リブ部２１１Ｅの上端、すなわち横リブ部２１２Ｅと接する部分には、補助部材用スリット２１３Ｅが開設されている。この補助部材用スリット２１３Ｅは、板状の補助部材２３０Ｅが挿抜される部分である。また、前記補助部材２３０Ｅは、板状のものであって、その長さは横リブ部２１２Ｅより十分長く、かつ配線Ｌをダクト本体への収納時に、２つの机ＤＥの天板ＤＴの間隔が十分に余裕のあるものになるような長さに設定されている。
【００４９】
かかる吊り下げ式配線ダクトＥでは、配線Ｌの収納時には、図１１（Ａ）に示すように、補助部材用スリット２１３Ｅに補助部材２３０Ｅを挿入しておき、吊り下げ式配線ダクトＥを補助部材２３０Ｅによって２つの机ＤＥの天板ＤＴに吊り下げておく。すると、天板ＤＴの間の間隔は、補助部材２３０Ｅがない場合よりも大きくすることができるので、配線Ｌのダクト本体への収納作業が容易になる。
【００５０】
また、配線Ｌのダクト本体への収納作業が完了したならば、図１１（Ｂ）に示すように、補助部材２３０Ｅを抜き取り、２つの机ＤＥの天板ＤＴの間を、配線Ｌに過度の負担がかからない程度に狭くする。
【００５１】
かかる構成であると、配線Ｌのダクト本体への収納がより容易になり、かつ収納後に横リブ部２１２Ｅが邪魔にならない程度に小さくすることが可能となる。
【００５２】
なお、上述した各実施の形態では、各ダクト本体１００Ａ等を、合成樹脂等で成形されていとしたが、例えば図１２に示すように、網体やシートの柔軟な面状部材を２本の支柱１５０Ｆで支えることで略樋状にしたものであってもよい。
【００５３】
この吊り下げ式配線ダクトＦにおける樋状のダクト本体１００Ｆは、面状部材の端部を巻いて袋状とし、その部分に棒状の支柱１５０Ｆを挿入したものである。そして、吊下部材２００Ｆは、前記支柱１５０Ｆを引っかける構造になっている。すなわち、吊下部材２００Ｆは、合成樹脂や金属からなり、略Ｔ字形状のＴ字状部２１０Ｆと、このＴ字状部２１０Ｆから延設された略環状の本体保持部２２０Ｆとが一体に形成されているものである。前記本体保持部２２０Ｆの上面２２１Ｆの端部の内側には、内側に向かって湾曲されたフック部２２５Ｆが形成されており、このフック部２２５Ｆで前記支柱１５０Ｆを引っかけるのである。
【図面の簡単な説明】
【００５４】
【図１】本発明の第１の実施の形態に係る吊り下げ式配線ダクトの概略的斜視図である。
【図２】本発明の第１の実施の形態に係る吊り下げ式配線ダクトを構成するダクト本体の概略的斜視図である。
【図３】本発明の第１の実施の形態に係る吊り下げ式配線ダクトを構成する吊下部材の図面であって、同図（Ａ）は概略的側面図、同図（Ｂ）は概略的正面図である。
【図４】本発明の第１の実施の形態に係る吊り下げ式配線ダクトの使用状態を示す概略的側面図である。
【図５】本発明の第１の実施の形態に係る吊り下げ式配線ダクトの使用状態を示す概略的平面図である。
【図６】本発明の第２の実施の形態に係る吊り下げ式配線ダクトの概略的斜視図である。
【図７】本発明の第２の実施の形態に係る吊り下げ式配線ダクトを構成するダクト本体の概略的斜視図である。
【図８】本発明の第２の実施の形態に係る吊り下げ式配線ダクトを構成する吊下部材の図面であって、同図（Ａ）は概略的側面図、同図（Ｂ）は概略的正面図である。
【図９】本発明の第３の実施の形態に係る吊り下げ式配線ダクトの概略的斜視図である。
【図１０】本発明の第１の実施の形態に係る吊り下げ式配線ダクトの変形例を示す概略的斜視図である。
【図１１】本発明の第５の実施の形態に係る吊り下げ式配線ダクトの要部の概略的斜視図である。
【図１２】本発明の第６の実施の形態に係る吊り下げ式配線ダクトの要部の概略的斜視図である。
【符号の説明】
【００５５】
１００Ａ  ダクト本体
２００Ａ  吊下部材
２１０Ａ  Ｔ字状部
【図１】
2005110766.tif 000003
【図２】
2005110766.tif 000004
【図３】
2005110766.tif 000005
【図４】
2005110766.tif 000006
【図５】
2005110766.tif 000007
【図６】
2005110766.tif 000008
【図７】
2005110766.tif 000009
【図８】
2005110766.tif 000010
【図９】
2005110766.tif 000011
【図１０】
2005110766.tif 000012
【図１１】
2005110766.tif 000013
【図１２】
2005110766.tif 000014